(57)【要約】【課題】吐出ノズルより微小の液滴が吐出されるが、居住空間に十分に拡散せず、吐出ノズルの下方部分に液滴が集中してしまう課題を有しており、居住空間に十分拡散することができる効果のある液滴吐出装置を提供することを目的とする。【解決手段】振動板１１は、圧力センサ８等の電気信号を受けた制御回路１２からの電気信号により振動する。振動板１１が振動して圧力室１０内の圧力が変化し、それによって、圧力室１０に蓄えられた香料３が吐出ノズル６から通風路５へ吐出される。吐出された香料３は通風路５内を流れる風によって液滴吐出装置１外部に流出噴霧する。そのため、居住空間に十分拡散することができる効果のある液滴吐出装置を提供することができる。【選択図】図２
2008161745.tif 000002
【特許請求の範囲】
【請求項１】
液滴を収納する液滴収納容器とその液滴を圧力室へ供給する供給通路を有し、前記圧力室に圧力を与える振動板とその振動板により与えられて圧力により前記圧力室の液滴を吐出する吐出ノズルと振動板を制御する制御回路を有し、前記制御回路の電気信号に応じて前記吐出ノズルから前記液滴を吐出または停止させる液滴吐出装置において、前記吐出ノズルの液滴吐出側に風路を設け、前記吐出ノズルから吐出された前記液滴は前記風路を流れる風によって前記液滴吐出装置外へ放出・拡散されることを特徴とする液滴吐出装置。
【請求項２】
前記風路は前記液滴の吐出方向に対して略直角となるように配してなることを特徴とする請求項１記載の液滴吐出装置。
【請求項３】
前記液滴は香料であることを特徴とする請求項１または２記載の液滴吐出装置。
【請求項４】
前記液滴は消臭剤であることを特徴とする請求項１または２記載の液滴吐出装置。
【請求項５】
前記液滴はフィトンチッド溶液であることを特徴とする請求項１または２記載の液滴吐出装置。
【請求項６】
前記液滴はサプリメント溶液であることを特徴とする請求項１または２記載の液滴吐出装置。
【請求項７】
前記液滴収納容器はカートリッジであることを特徴とする請求項１乃至６いずれかに記載の液滴吐出装置。
【請求項８】
前記液滴収納容器である前記カートリッジは透明な容器で構成されていることを特徴とする請求項７に記載の液滴吐出装置。
【請求項９】
前記制御回路には前記液滴収納容器である前記カートリッジの前記液滴の残量がなくなった時に前記電気信号により前記吐出ノズルから前記液滴を停止させることを特徴とする請求項７または８に記載の液滴吐出装置。
【請求項１０】
前記液滴収納容器を複数個有し、それぞれの液滴収納容器には異種の液滴が収納されていることを特徴とする請求項１乃至９いずれかに記載の液滴吐出装置。
【請求項１１】
前記異種の液滴は前記供給通路および前記圧力室にて混合され前記吐出ノズルから吐出されることを特徴とする請求項１０記載の液滴吐出装置。
【請求項１２】
前記異種の液滴の一種類は溶液希釈剤であることを特徴とする請求項１０または１１に記載の液滴吐出装置。
【請求項１３】
前記液滴収納容器を複数個有し、それぞれの液滴収納容器には異種の液滴は収納され、前記異種の液滴にそれぞれ対応した前記供給通路、前記圧力室、前記振動板および前記吐出ノズルを複数個有し、前記制御回路の電気信号に応じて複数の前記吐出ノズルから複数の前記液滴を同時にまたは個別に吐出または停止させることを特徴とする請求項１乃至１０いずれかに記載の液滴吐出装置。
【請求項１４】
前記風路には風圧センサを設け、風圧センサの出力電気信号に応じて前記吐出ノズルから吐出される前記液滴の量を調整することを特徴とする請求項１乃至１３いずれかに記載の液滴吐出装置。
【請求項１５】
前記風路の風下側には前記液滴を拡散する風向板を設けたことを特徴とする請求項１乃至１４いずれかに記載の液滴吐出装置。
【請求項１６】
前記風路の風上側にファンを設けたことを特徴とする請求項１乃至１５いずれかに記載の液滴吐出装置。
【請求項１７】
請求項１乃至１５いずれかに記載の液滴吐出装置を搭載する空調装置。
【請求項１８】
請求項１７記載の空調装置は空気清浄機であることを特徴とする空調装置。
【請求項１９】
請求項１７記載の空調装置はエアーコンディショナーであることを特徴とする空調装置。
【請求項２０】
請求項１７記載の空調装置は加湿器、除湿機、扇風機、換気装置の何れかであることを特徴とする空調装置。
【発明の詳細な説明】
【技術分野】
【０００１】
本発明は、香りや消臭等を微粒子にして吐出、噴霧、拡散することにより、空気中の臭気成分を人間の閾値以下にすることを可能にし、また、自然に近い心地よい居住空間を醸し出すことが出来る液滴吐出装置に関する。
【背景技術】
【０００２】
従来の香り発生装置は、卓上型のマスキング効果をねらった芳香剤がよく知られているが、これらのものはいずれも香料の自然蒸発を利用したものである。
【０００３】
また、微量液滴の吐出方法としてはよく知られている、ドロップ・オン・デマンド型インクジェットヘッドなどに使用されているピエゾ駆動のインク液吐出装置などがある。（例えば、特許文献１参照）。この方式について図面とともに説明する。
【０００４】
図６おいて、ピエゾ駆動型のインク液滴吐出ヘッドの例で、振動板１０１に接着されたピエゾ板１０２の両側に電気信号１０３を入力すると、ピエゾ板１０２および振動板１０１が変位し、圧力室１０４にポンプにより供給されている、インク１０５に急激な圧力上昇を生させ、圧力室１０４の一部に設けられた吐出ノズル１０６より微小のインク液滴を吐出させるものである。
【特許文献１】特開平５−１６１７０２号公報
【発明の開示】
【発明が解決しようとする課題】
【０００５】
前述した従来の芳香剤は、香りを発生させる開口部の開閉状態により香りの強弱をコントロールするだけのものであるため、香料の匂いが強くなりすぎ逆に不快感を与えたりすることがあり、さらに香料の自然蒸発を利用して香りを発生させているため、低沸点の成分から気化し、時間経過に伴い高沸点の成分だけが残存するため、香りの質が使いはじめた頃と変わってしまうといったような課題を有している。
【０００６】
また、従来のピエゾ振動子を用いた液滴吐出装置においては、吐出ノズルより微小の液滴が吐出されるが、居住空間に十分に拡散せず、吐出ノズルの下方部分に液滴が集中してしまう課題を有しており、居住空間に十分拡散することが要求されている。
【０００７】
また、液滴吐出装置においては、居住空間にはさまざまな臭気成分が存在するが、単一の香料や消臭剤では対応できないという課題を有しており、さまざまな臭気成分に対応できることが要求されていると共に、長寿命化も要求されている。
【０００８】
本発明はこのような従来の課題を解決するものであり、居住空間に十分拡散することができ、また、さまざまな臭気成分に対応することが可能となり、長寿命化することができる効果のある液滴吐出装置およびそれを用いた空調装置を提供することを目的としている。
【課題を解決するための手段】
【０００９】
本発明の液滴吐出装置は上記目的を達成するために、液滴を収納する液滴収納容器とその液滴を圧力室へ供給する供給通路を有し、前記圧力室に圧力を与える振動板とその振動板により与えられて圧力により前記圧力室の液滴を吐出する吐出ノズルと振動板を制御する制御回路を有し、前記制御回路の電気信号に応じて前記吐出ノズルから前記液滴を吐出または停止させる液滴吐出装置において、前記吐出ノズルの液滴吐出側に風路を設け、前記吐出ノズルから吐出された前記液滴は前記風路を流れる風によって前記液滴吐出装置外へ放出・拡散されることを特徴とするものである。
【００１０】
この手段により、吐出ノズルから吐出された液滴が風路を流れる風によって居住空間に十分拡散することができる液滴吐出装置が得られえる。
【００１１】
また、風路は液滴の吐出方向に対して略直角となるように配してなることを特徴とするものである。
【００１２】
この手段により、吐出ノズルから吐出された液滴が風路を流れる風によって居住空間に十分拡散することができる液滴吐出装置が得られえる。
【００１３】
また、他の手段は、液滴は香料であることを特徴とするものである。
【００１４】
この手段により、臭気成分を人間の閾値以下にすることを可能にすることができる液滴吐出装置が得られえる。
【００１５】
また、他の手段は、液滴は消臭剤であることを特徴とするものである。
【００１６】
この手段により、臭気成分を人間の閾値以下にすることを可能にすることができる液滴吐出装置が得られえる。
【００１７】
また、他の手段は、液滴はフィトンチッド溶液であることを特徴とするものである。
【００１８】
この手段により、臭気成分を人間の閾値以下にすることを可能にすることができる液滴吐出装置が得られえる。
【００１９】
また、他の手段は、液滴はサプリメント溶液であることを特徴とするものである。
【００２０】
この手段により、臭気成分を人間の閾値以下にすることを可能にすることができる液滴吐出装置が得られえる。
【００２１】
また、他の手段は、液滴収納容器はカートリッジであることを特徴とするものである。
【００２２】
この手段により、液滴の取替えが容易な液滴吐出装置が得られえる。
【００２３】
また、他の手段は、液滴収納容器であるカートリッジは透明な容器で構成されていることを特徴とするものである。
【００２４】
この手段により、液滴収納容器の液滴の交換時期が容易に判断できる液滴吐出装置が得られえる。
【００２５】
また、他の手段は、制御回路には液滴収納容器であるカートリッジの液滴の残量がなくなった時に電気信号により吐出ノズルから液滴を停止させることを特徴とするものである。
【００２６】
この手段により、液滴の空吐出を防止することができ、長寿命化できる液滴吐出装置が得られる。
【００２７】
また、その他の手段は、液滴収納容器を複数個有し、それぞれの液滴収納容器には異種の液滴が収納されていることを特徴とするものである。
【００２８】
この手段により、複数種類の香料もしくは消臭剤を搭載できるのでさまざまな臭気成分に対応できる液滴吐出装置が得られる。
【００２９】
また、その他の手段は、異種の液滴は供給通路および圧力室にて混合され吐出ノズルから吐出されることを特徴とするものである。
【００３０】
この手段により、複数種類の香料もしくは消臭剤を混合することができるのでさまざまな臭気成分に対応できる液滴吐出装置が得られる。
【００３１】
また、その他の手段は、異種の液滴の一種類は溶液希釈剤であることを特徴とするものである。
【００３２】
この手段により、他方を溶液原液とすることにより供給通路や圧力室内で原液を希釈し薄めることができ長寿命化できる液滴吐出装置が得られる。
【００３３】
また、その他の手段は、液滴収納容器を複数個有し、それぞれの液滴収納容器には異種の液滴は収納され、異種の液滴にそれぞれ対応した供給通路、圧力室、振動板および前記吐出ノズルを複数個有し、制御回路の電気信号に応じて複数の吐出ノズルから複数の液滴を同時にまたは個別に吐出または停止させることを特徴とするものである。
【００３４】
この手段により、複数種類の香料もしくは消臭剤を搭載できるのでさまざまな臭気成分に対応できる液滴吐出装置が得られる。
【００３５】
また、その他の手段は、風路には風圧センサを設け、風圧センサの出力電気信号に応じて吐出ノズルから吐出される前記液滴の量を調整することを特徴とするものである。
【００３６】
この手段により、風路を通る風の風速により液滴の吐出量を制御できるので居住空間に十分拡散できる液滴吐出装置が得られる。
【００３７】
また、その他の手段は、風路の風下側には液滴を拡散する風向板を設けたことを特徴とするものである。
【００３８】
この手段により、風向板により液滴が拡散され居住空間に十分拡散できる液滴吐出装置が得られる。
【００３９】
また、その他の手段は、風路の風上側にファンを設けたことを特徴とするものである。
【００４０】
この手段により、居住空間に十分拡散することができる液滴吐出装置が得られえる。
【００４１】
また、請求項１乃至１５いずれかに記載の液滴吐出装置を搭載する空調装置としたものである。
【００４２】
この手段により、空調機能と同時に芳香または脱臭機能を有する空調装置が得られる。
【００４３】
また、請求項１７記載の空調装置は空気清浄機であることを特徴とする空調装置としたものである。
【００４４】
この手段により、空気清浄機能と同時に芳香または脱臭機能を有する空調装置が得られる。
【００４５】
また、請求項１７記載の空調装置はエアーコンディショナーであることを特徴とする空調装置としたものである。
【００４６】
この手段により、温度調整機能と同時に芳香または脱臭機能を有する空調装置が得られる。
【００４７】
また、請求項１７記載の空調装置は加湿器、除湿機、扇風機、換気装置の何れかであることを特徴とする空調装置としたものである。
【００４８】
この手段により、芳香または脱臭機能を有する加湿器、除湿機、扇風機、換気装置が得られる。
【発明の効果】
【００４９】
本発明によれば、香料もしくは消臭剤等が居住空間に十分拡散することができるという効果のある液滴吐出装置および空調装置を提供することができる。また、さまざまな臭気成分に対応できることが要求されていると共に、長寿命化できるという効果のある液滴吐出装置および空調装置を提供することができる。
【発明を実施するための最良の形態】
【００５０】
本発明の請求項１記載の発明は、液滴を収納する液滴収納容器とその液滴を圧力室へ供給する供給通路を有し、前記圧力室に圧力を与える振動板とその振動板により与えられて圧力により前記圧力室の液滴を吐出する吐出ノズルと振動板を制御する制御回路を有し、前記制御回路の電気信号に応じて前記吐出ノズルから前記液滴を吐出または停止させる液滴吐出装置において、前記吐出ノズルの液滴吐出側に風路を設け、前記吐出ノズルから吐出された前記液滴は前記風路を流れる風によって前記液滴吐出装置外へ放出・拡散されることを特徴とするものであり、吐出された液滴が風路を流れる風により拡散されるという作用を有する。
【００５１】
本発明の請求項２記載の発明は、風路は液滴の吐出方向に対して略直角となるように配してなることを特徴とするものであり、吐出された液滴が風路を流れる風により微細化され遠くまで拡散されるという作用を有する。
【００５２】
本発明の請求項３記載の発明は、液滴は香料であることを特徴とするものであり、吐出された香料が臭気成分をマスキングするという作用を有する。
【００５３】
本発明の請求項４記載の発明は、液滴は消臭剤であることを特徴とするものであり、吐出されたフィトンチッド溶液が臭気成分である分子状物質と反応し別の物質に変換する作用を有する。
【００５４】
本発明の請求項５記載の発明は、液滴はフィトンチッド溶液であることを特徴とするものであり、吐出されたフィトンチッド溶液が臭気成分である分子状物質と反応し別の物質に変換する作用を有する。
【００５５】
本発明の請求項６記載の発明は、液滴はサプリメント溶液であることを特徴とするものであり、吐出されたサプリメント溶液が臭気成分である分子状物質と反応し別の物質に変換する作用を有する。
【００５６】
本発明の請求項７記載の発明は、液滴収納容器はカートリッジであることを特徴とするものであり、液滴吐出装置から液滴収納納期の脱着、交換が可能となる作用を有する。
【００５７】
本発明の請求項８記載の発明は、液滴収納容器であるカートリッジは透明な容器で構成されていることを特徴とするものであり、液滴の残量が容易に確認できるという作用を有する。
【００５８】
本発明の請求項９記載の発明は、制御回路には液滴収納容器であるカートリッジの液滴の残量がなくなった時に電気信号により吐出ノズルから液滴を停止させることを特徴とするものであり、圧力室が空の状態での振動板の振動を停止させることができ、振動板の破損を防止する作用を有する。
【００５９】
本発明の請求項１０記載の発明は、液滴収納容器を複数個有し、それぞれの液滴収納容器には異種の液滴が収納されていることを特徴とするものであり、さまざまな臭気成分に対応できる液滴を同時に吐出できる作用を有する。
【００６０】
本発明の請求項１１記載の発明は、異種の液滴は供給通路および圧力室にて混合され吐出ノズルから吐出されることを特徴とするものであり、さまざまな臭気成分に対応できる液滴を同時に吐出できる作用を有する。
【００６１】
本発明の請求項１２記載の発明は、異種の液滴の一種類は溶液希釈剤であることを特徴とするものであり、他方を溶液原液とすることにより供給通路や圧力室内で原液を希釈し液滴濃度の調整ができる作用を有する。
【００６２】
本発明の請求項１３記載の発明は、液滴収納容器を複数個有し、それぞれの液滴収納容器には異種の液滴は収納され、異種の液滴にそれぞれ対応した供給通路、圧力室、振動板および前記吐出ノズルを複数個有し、制御回路の電気信号に応じて複数の吐出ノズルから複数の液滴を同時にまたは個別に吐出または停止させることを特徴とするものであり、さまざまな臭気成分に対応できる液滴を同時に吐出できる作用を有する。
【００６３】
本発明の請求項１４記載の発明は、風路には風圧センサを設け、風圧センサの出力電気信号に応じて吐出ノズルから吐出する液滴の量を調整することを特徴とするものであり、風路を通る風量、風速に最適な液滴の量を調整することができるという作用を有する。
【００６４】
本発明の請求項１５記載の発明は、風路の風下側には液滴を拡散する風向板を設けたことを特徴とするものであり、液滴を含んだ風が風向板により拡散されるという作用を有する。
【００６５】
本発明の請求項１６記載の発明は、風路の風上側にファンを設けたことを特徴とするものであり、液滴吐出装置にファンを内蔵することとなり、外部からの補助なしに、液滴吐出装置単体にて液滴を拡散できる作用を有する。
【００６６】
本発明の請求項１７記載の発明は、請求項１〜１５いずれかに記載の液滴吐出装置を搭載する空調装置としたものであり、空調装置に本発明の液滴吐出装置を設けることにより安定して高い芳香または脱臭機能を持たせることができる作用を有する。
【００６７】
本発明の請求項１８記載の発明は、空調装置は空気清浄機であることを特徴とする空調装置としたものであり、空気清浄機に本発明の液滴吐出装置を設けることにより安定して高い芳香または脱臭機能を持たせることができる作用を有する。
【００６８】
本発明の請求項１９記載の発明は、空調装置はエアーコンディショナーであることを特徴とする空調装置としたものであり、エアーコンディショナーに本発明の液滴吐出装置を設けることにより安定して高い芳香または脱臭機能を持たせることができる作用を有する。
【００６９】
本発明の請求項２０記載の発明は、空調装置は加湿器、除湿機、扇風機、換気装置の何れかであることを特徴とする空調装置としたものであり、加湿器、除湿機、扇風機、換気装置の何れに本発明の液滴吐出装置を設けることにより安定して高い芳香または脱臭機能を持たせることができる作用を有する。
【００７０】
以下、本発明の実施の形態について図面を参照しながら説明する。
【００７１】
（実施の形態１）
本発明の第１の実施の形態を図１〜３を用いて説明する。
【００７２】
図１に示すように、１は液滴吐出装置であり筐体２の内部に香料３が収納されたカートリッジ４が配置固定されている。筐体２にはファン等（図示せず）の風が流れる通風路５が設けられており、その通風路５に面した位置に吐出ノズル６が配置されている。ファンは、通風路５の風上側に配置する。通風路５の風出口部分には風向板であるルーバー７が回転自在に取り付けられており、また、通風路５の内部に通風路内の圧力を感知する圧力センサ８が配置されている。
【００７３】
次に図２および図３に示すように、香料３は液滴収納のカートリッジ４内部に収納されており、香料３は供給通路９を通り、圧力室１０へ導かれる。１１は制御回路１２の電気信号により圧力室に圧力を与える振動板である。また、吐出ノズル６の吐出方向は、通風路５を流れる風の通風方向に対して略直角になるように配置されている。
【００７４】
上記構成において、振動板１１は、圧力センサ８等の電気信号を受けた制御回路１２からの電気信号により振動する。振動板１１が振動して圧力室１０内の圧力が変化し、それによって、圧力室１０に蓄えられた香料３が吐出ノズル６から通風路５へ吐出される。吐出された香料３は通風路５内を流れる風によって液滴吐出装置１外部に流出噴霧する。
【００７５】
また、圧力センサ８等の電気信号を受けた制御回路１２からの電気信号は、振動板１１の振動数を制御し、液滴の吐出量を調節する。カートリッジ４内の液滴の残量がなくなった際には、振動板１１の振動を停止する。
【００７６】
このような本発明の実施の形態１によれば、吐出ノズル６から吐出された香料３が通風路５を流れる風によって更に微細化され、より遠くに拡散させることができる液滴吐出装置を提供することができる。また、通風路５の風出口部分にルーバー７により噴霧方向が自在に変更できるとことにより拡散性が増すこととなり居住空間に十分拡散させることが可能な液滴吐出装置を提供することができる。さらに、圧力センサ８の出力電気信号により液滴吐出量を調整できるため、風量風速に最適な液滴量の吐出が可能となり、室内空間に最適に香料３を噴霧拡散させることができる液滴吐出装置を提供することができる。
【００７７】
なお、本実施の形態１では、液滴に香料を用いたが、消臭剤、フィトンチッド溶液、サプリメント溶液を用いてもよく、その作用効果に差異を生じない。
【００７８】
また、カートリッジ４を透明にすることにより、内部に収納された香料３の残量が容易に知ることができるため、カートリッジ４の交換時期を使用者に知らせることができ、さらに、カートリッジ４には残量が無くなったときに電気信号により振動板１１と停止する機能を設けているため、香料３の残量が無くなったときの空吐出による振動板１１の過負荷による破損を防止できる長寿命化の図れる液滴吐出装置を提供することができる。
【００７９】
（実施の形態２）
本発明の第２の実施の形態を図４を用いて説明する。なお、実施の形態１の構成と同一部分には同一番号を付し、その詳細な説明は省略する。
【００８０】
図４に示すように、筐体２の内部に香料３が収納されたカートリッジ４ａと希釈剤である水１３が収納されたカートリッジ４ｂが配置固定されている。カートリッジ４ａの香料３とカートリッジ４ｂの水１３は一つの同じ供給通路９および圧力室１０を通って一つの吐出ノズル６から通風路５へ吐出される。
【００８１】
上記構成において、カートリッジ４ａの香料３とカートリッジ４ｂの水１３が一つの同じ供給通路９および圧力室１０の内部で混合し、香料３を水１３が希釈する。吐出ノズル６から吐出される液滴は香料３が水１３で希釈された希釈香料が吐出される。
【００８２】
このような本発明の実施の形態２によれば、香料３は供給通路９および圧力室１０の内部で混合され希釈するため、香料３は原液を使用することができ、また、少量ずつ使用することができるため、カートリッジ４の交換周期を長くすることができ、長寿命化が図れる液滴吐出装置を提供することができる。
【００８３】
なお、本実施の形態２では、２個のカートリッジとしたが３個以上のカートシッジとすることも可能である。また、カートリッジ４ｂ内の容液を希釈剤の水１３としたが、香料の種類によってはさまざまな希釈剤でも良く、さらに、別の香料や、消臭剤、フィトンチッド溶液、サプリメント溶液にすることにより、さまざまの成分の混合溶液を吐出することが可能となり、さまざまな臭気成分に対応可能できる液滴吐出装置を提供することができる。
【００８４】
（実施の形態３）
本発明の第３の実施の形態を図５を用いて説明する。なお、実施の形態１の構成と同一部分には同一番号を付し、その詳細な説明は省略する。
【００８５】
図５に示すように、筐体２の内部にフィトンチッド溶液１４が収納されたカートリッジ４ａとサプリメント溶液１５が収納されたカートリッジ４ｂが配置固定されている。カートリッジ４ａのフィトンチッド溶液１４とカートリッジ４ｂのサプリメント溶液１５はそれぞれ別々の供給通路９ａ、９ｂおよび圧力室１０ａ、１０ｂと介して、別々の吐出ノズル６ａ、６ｂからそれぞれ吐出される。
【００８６】
このような本発明の実施の形態３によれば、組成の違う溶液を別々の経路で吐出噴霧できるので、さまざまな臭気成分に対応できる液滴吐出装置を提供することができる。
【産業上の利用可能性】
【００８７】
本発明の液滴吐出装置は、液滴吐出ノズルの通風路に面して配置することにより、より微細化されて液滴が通風路の風によって室内空間に十分拡散できる液滴吐出装置を得ることができる効果を有し、空気環境を向上させる用途して有用である。
【００８８】
また、本発明の液滴吐出装置は、カートリッジを複数個設け、各種の香料、消臭剤および希釈剤を吐出噴霧することにより、室内空間のさまざまな臭気成分に対応できると共に長寿命化ができる液滴噴霧装置を得ることができる効果を有し、室内の冷暖房および湿度制御といった空調を行いながら清浄化された室内空間を提供する用途として有用である。
【図面の簡単な説明】
【００８９】
【図１】本発明の実施の形態１の液滴吐出装置を示す斜視図
【図２】本発明の実施の形態１の液滴吐出装置を示す断面図
【図３】本発明の実施の形態１の液滴吐出装置を示す断面図
【図４】本発明の実施の形態２の液滴吐出装置を示す断面図
【図５】本発明の実施の形態３の液滴吐出装置を示す断面図
【図６】従来の集塵装置を示す斜視図
【符号の説明】
【００９０】
１      液滴吐出装置
２      筐体
３      香料
４      カートリッジ
４ａ    カートリッジ
４ｂ    カートリッジ
５      通風路
６      吐出ノズル
６ａ    吐出ノズル
６ｂ    吐出ノズル
７      ルーバー
８      圧力センサ
９      供給通路
９ａ    供給通路
９ｂ    供給通路
１０    圧力室
１０ａ  圧力室
１０ｂ  圧力室
１１    振動板
１１ａ  振動板
１１ｂ  振動板
１２    制御回路
１３    水
１４    フィトンチッド溶液
１５    サプリメント溶液
【図１】
2008161745.tif 000003
【図２】
2008161745.tif 000004
【図３】
2008161745.tif 000005
【図４】
2008161745.tif 000006
【図５】
2008161745.tif 000007
【図６】
2008161745.tif 000008